(57)【特許請求の範囲】
【請求項１】
略四角形の板状部材の縦横各一辺に、バインダーに綴じるための穴を複数個形成した綴じ部を付設し、さらに、板状部材の一縁部に、適宜のカードを収納可能にしたケースの端縁を取り付けたことを特徴とするカードホルダー。
【請求項２】
前記ケースを複数枚重ねて取り付けた請求項１記載のカードホルダー。
【請求項３】
綴じ部を切断可能に板状部材と一体成形した請求項１又は２記載のカードホルダー。
【発明の詳細な説明】
【０００１】
【発明の属する技術分野】
この発明は、名刺、テレホンカードその他のプリペイドカード、クレジットカード等のカードを収納するためのカードホルダーに関するものである。
【０００２】
【従来の技術】
従来、内部に名刺等のカードを収納できるようにすると共に、その一辺に穴を複数個形成してバインダーに綴じられるようにしたカードホルダーがあった。
【０００３】
この従来のカードホルダーは、バインダーに綴じるための穴が一辺にしか設けられていないため、バインダーに綴じる場合は、縦横の向きを変えることができなかった。そして、そのために、大きさの異なる他のバインダーに綴じることができなかった。
【０００４】
また、この従来のカードホルダーは、複数枚のカードを収納するために、複数のカードホルダーを一面に連結していたが、面積が大きくなり嵩張るので、バインダーから取り外して携帯するには不便であった。
【０００５】
【発明が解決しようとする課題】
そこで、この発明は、縦横の向きを変えてバインダーに綴じられ、そして、大きさの異なる他のバインダーに綴じることができ、また、嵩張らずに複数枚のカードを収納できるカードホルダーを提供することを課題とする。
【０００６】
【課題を解決するための手段】
前記課題を解決するため、この発明は次のような技術的手段を講じている。
【０００７】
この発明のカードホルダーは、略四角形の板状部材の縦横各一辺に、バインダーに綴じるための穴を複数個形成した綴じ部を付設し、さらに、板状部材の一縁部に、適宜のカードを収納可能にしたケースの端縁を取り付けたものとしている。
【０００８】
また、前記ケースを複数枚重ねて取り付けてもよい。
さらに、綴じ部を切断可能に板状部材と一体成形してもよい。
【０００９】
上述の手段を採用した結果、この発明は次のような作用を有する。
この発明のカードホルダーは、綴じ部が板状部材の縦横各一辺に付設されているので、縦辺、横辺のいずれかの綴じ部を選択することにより、縦横の向きを変えてバインダーに綴じることができる。そして、これにより、例えば、Ｂ６版サイズのバインダーには横向きにして、Ｂ７版サイズのバインダーには縦向きにして綴じることができるようになる。
【００１０】
また、前記ケースを複数枚重ねて取り付ければ、面積が大きくならず、嵩張らずに複数枚のカードを収納することができる。
【００１１】
さらに、綴じ部を切断可能に板状部材と一体成形すれば、綴じ部を切断することにより、大きさを小さくして定期入れや財布等に収納できる。
【００１２】
【発明の実施の形態】
以下、この発明の実施の形態を、図面を参照して説明する。
【００１３】
この発明のカードホルダーは、略四角形の板状部材１の縦横各一辺に、バインダー２に綴じるための穴３を複数個形成した綴じ部４、５を付設し、さらに、板状部材１の一縁部に、適宜のカードを収納可能にしたケース６を取り付けたものとしている。
【００１４】
図１は、この発明のカードホルダーの一例の斜視図である。板状部材１は、縦が約６５mm、横が約９８mm程度の硬質のプラスチック製で、ケース６は、塩化ビニール等の軟質なもので、板状部材１と同じ大きさにした後部７の一縁部に、収納したカードを摘み易くするための切欠部８を形成した前部９を重ね、その左右辺及び下辺を溶着してポケット状にして成る。ケース６は、収納したカードが見えるように透明ないし半透明とするとよい。
【００１５】
ケース６は２〜５枚程度、重ねて設けるのが望ましい。ケース６は、その上端縁10を板状部材１の上端の縁部に溶着することにより、各ケース６を冊子状にめくることができるようにしているので、面積が大きくならず、嵩張らない。なお、ケース６の左端縁又は右端縁を板状部材１の左端の縁部又は右端の縁部に溶着して設けてもよい。
【００１６】
前記綴じ部４、５は、板状部材１の左側の縦辺と、下側の横辺に、それぞれ切断可能に板状部材１と一体に設けられている。このカードホルダーでは、Ｂ６版サイズの６穴式カバー付バインダーやＢ７版サイズの４穴式カバー付バインダーに対応するように、各綴じ部４、５の穴３の間隔は１９mm毎の間隔に設けられている。
【００１７】
Ｂ６版サイズの６穴式カバー付バインダーに綴じる場合は、図２に示すように、カードホルダーを横向きにし、バインダー２の上部又は下部に、縦辺の綴じ部４を利用して綴じる。この場合、横辺の綴じ部５は、切断してもよい。
【００１８】
また、Ｂ７版サイズの４穴式カバー付バインダーに綴じる場合は、図３に示すように、カードホルダーを縦向きにし、バインダー２に横辺の綴じ部５を利用して綴じる。この場合、縦辺の綴じ部４は、切断してもよい。
【００１９】
このカードホルダーは、以上のように、縦横の綴じ部４、５を選択することにより、縦横いずれかの向きでバインダー２に綴じることができる。そして、縦横の向きを変えることにより、Ｂ６版サイズ、Ｂ７版サイズ、いずれのバインダー２にも綴じることが可能になっている。
【００２０】
なお、各綴じ部４、５の穴３の間隔を異なるものとすれば、他の種類のバインダーに綴じることができる。また、縦辺、横辺の各綴じ穴３の間隔をそれぞれ異なるものとしてもよい。
【００２１】
また、このカードホルダーは、綴じ部４、５を切断すれば一まわり小さくなり、収納されたカードと大きさがあまり変わらないので、カードと同じように定期入れや財布等に入れて携帯することができる。
【００２２】
綴じ部４、５の切断は、ハサミやカッターナイフで行えばよいが、カードホルダー表面の板状部材１と綴じ部４、５との境界に切れ目を入れたり、ミシン線を入れて切断を容易にし、手で折ったり、ちぎったりできるようにしてもよい。
【００２３】
【発明の効果】
この発明のカードホルダーは、上述のような構成を有しており、綴じ部を板状部材の縦横各一辺に付設しているので、綴じ部を選択することにより、縦横いずれかの向きでバインダーに綴じることができ、そして、カードホルダーの縦横の向きを変えてバインダーに綴じることにより、大きさの異なるバインダーに綴じることができるようになる。
【００２４】
また、ケースを複数枚重ねて取り付ければ、複数枚のカードを収納することができるにもかかわらず、面積が大きくならず、嵩張らない。
【００２５】
さらに、綴じ部を切断可能に板状部材と一体成形すれば、綴じ部を切断することにより、大きさを小さくして定期入れや財布等に収納できるので、携帯に便利である。
【図面の簡単な説明】
【図１】この発明に係るカードホルダーの斜視図。
【図２】この発明に係るカードホルダーをＢ６版サイズのバインダーに綴じた状態を示す斜視図。
【図３】この発明に係るカードホルダーをＢ７版サイズのバインダーに綴じた状態を示す斜視図。
【符号の説明】
１  板状部材
２  バインダー
３  穴
４  綴じ部
５  綴じ部
６  ケース
【図１】
0003864351.tif 000002
【図２】
0003864351.tif 000003
【図３】
0003864351.tif 000004